(57)【要約】      （修正有）【課題】使用時の煩わしさを軽減し、ウェットティッシュの包装袋からの迅速な取り出しを可能とするウェットティッシュ収納バッグを提供する。【解決手段】ウェットティッシュ収納バッグ１は、一対の側面部を有し、開口部ＨからウェットティッシュＴが取り出し可能に収納されたウェットティッシュ包装袋Ｐを収納する収納バッグ本体１１と、一方の側面部１１ａに設けられ、収納されたウェットティッシュ包装袋Ｐの開口部Ｈに対向して配置され、ウェットティッシュＴをウェットティッシュ包装袋Ｐから収納バッグ本体１１外方へ取り出すティッシュ取出部１２とを有し、ティッシュ取出部１２は、一方の側面部１１ａに固定されたフレーム部１２１と、フレーム部１２１に回動可能に固定され、開口部Ｈを開閉可能に閉止する蓋部１２２とを有する。【選択図】図４
0003231519.tif 000002
【実用新案登録請求の範囲】
【請求項１】
一対の側面部を有し、開口部からウェットティッシュが取り出し可能に収納されたウェットティッシュ包装袋を収納する収納バッグ本体と、
前記一方の側面部に設けられ、収納された前記ウェットティッシュ包装袋の前記開口部に対向して配置され、前記ウェットティッシュを前記ウェットティッシュ包装袋から前記収納バッグ本体外方へ取り出すティッシュ取出部と
を有し、
前記ティッシュ取出部は、前記一方の側面部に固定されたフレーム部と、前記フレーム部に回動可能に固定され、前記開口部を開閉可能に閉止する蓋部とを有することを特徴とするウェットティッシュ収納バッグ。
【請求項２】
前記一方の側面部には、スリット状に形成された、前記ウェットティッシュ収納袋の収納孔が設けられ、前記収納孔は、スライドファスナにより開閉可能に閉止されることを特徴とする、請求項１に記載のウェットティッシュ収納バッグ。
【請求項３】
前記フレーム部は、前記一方の側面部上において前記開口部の周囲に配置される平面方形状の枠体により形成されるとともに、前記蓋部は、前記枠体に対し、その一辺においてヒンジ結合され、閉じた状態で前記枠体と係合して、前記開口部を封止する蓋体により形成されることを特徴とする、請求項１に記載のウェットティッシュ収納バッグ。
【請求項４】
前記収納バッグ本体に取り付けられ、先端にフック部材を有する吊下係止部をさらに備えることを特徴とする、請求項１に記載のウェットティッシュ収納バッグ。
【請求項５】
前記収納バッグ本体は、ビニル製であることを特徴とする、請求項１に記載のウェットティッシュ収納バッグ。
【請求項６】
前記収納バッグ本体は、透明であることを特徴とする、請求項５に記載のウェットティッシュ収納バッグ。
【考案の詳細な説明】
【技術分野】
【０００１】
本考案は、ウェットティッシュを携行可能に収納するウェットティッシュ収納バッグに関する。
【背景技術】
【０００２】
新型コロナウィルスの感染拡大を背景に、手指の洗浄およびテーブルの払拭等の必要性から、特に外出先でのウェットティッシュの使用頻度が高まっている。特許文献１には、平面視で長辺形状をなし、長手方向の中央で折り畳み可能として、その一側にウェットティッシュ用の収納部を、他側にティッシュペーパー用の収納部が形成されたウェットティッシュホルダが開示されている。
【先行技術文献】
【特許文献】
【０００３】
【特許文献１】特開２００６−１５１５０８号公報
【考案の概要】
【考案が解決しようとする課題】
【０００４】
しかし、一般に入手可能なウェットティッシュは、所定の枚数のウェットティッシュが互いに折り重ねられた状態で包装袋に収められるとともに、ウェットティッシュの乾燥を抑制するため、取出窓の形態で形成されるのが通常であるティッシュ取出部がシール式の蓋部材により閉塞された状態にある。よって、使用時には、この蓋部材を剥してティッシュ取出部を露出させ、さらに、包装袋の内部で折り畳まれた状態にある最上部のウェットティッシュを摘んで取り出す必要があるため、使用に煩わしさがあり、ウェットティッシュを包装袋から取り出すのに一定の時間を要することから、使い勝手が必ずしも良好ではないという問題がある。
【０００５】
前掲特許文献１に開示のウェットティッシュホルダは、長手方向の中央で折り畳み可能とし、折り畳んだ状態でウェットティッシュのティッシュ取出部をティッシュペーパー用の収納部により被覆するものであるが、ウェットティッシュのティッシュ取出部が密閉可能な構成にはないため、ウェットティッシュの乾燥を充分に抑制するにはシール式の蓋部材で封をする必要があり、使用時の煩わしさを依然解消することはできない。
【０００６】
このような実情に鑑み、本考案は、使用時の煩わしさを軽減し、ウェットティッシュの包装袋からの迅速な取り出しを可能とする携行用のウェットティッシュ収納バッグを提供することを目的とする。
【課題を解決するための手段】
【０００７】
請求項１に記載の考案にあっては、一対の側面部を有し、開口部からウェットティッシュが取り出し可能に収納されたウェットティッシュ包装袋を収納する収納バッグ本体と、一方の側面部に設けられ、収納されたウェットティッシュ包装袋の開口部に対向して配置され、ウェットティッシュをウェットティッシュ包装袋から収納バッグ本体外方へ取り出すティッシュ取出部とを有し、ティッシュ取出部は、一方の側面部に固定されたフレーム部と、フレーム部に回動可能に固定され、開口部を開閉可能に閉止する蓋部とを有することを特徴とする。
【０００８】
請求項２に記載の考案にあっては、一方の側面部には、スリット状に形成された、ウェットティッシュ収納袋の収納孔が設けられ、収納孔は、スライドファスナにより開閉可能に閉止されることを特徴とする。
【０００９】
請求項３に記載の考案にあっては、フレーム部は、一方の側面部上において開口部の周囲に配置される平面方形状の枠体により形成されるとともに、蓋部は、枠体に対し、その一辺においてヒンジ結合され、閉じた状態で枠体と係合して、開口部を封止する蓋体により形成されることを特徴とする。
【００１０】
請求項４に記載の考案にあっては、収納バッグ本体に取り付けられ、先端にフック部材を有する吊下係止部をさらに備えることを特徴とする。
【００１１】
請求項５に記載の考案にあっては、収納バッグ本体は、ビニル製であることを特徴とする。
【００１２】
請求項６に記載の考案にあっては、収納バッグ本体は、透明であることを特徴とする。
【考案の効果】
【００１３】
請求項１に記載の考案によれば、ウェットティッシュは、ウェットティッシュ包装袋からその開口部を塞ぐ蓋部材を取り外し、ウェットティッシュ包装袋に収められたままの状態で、換言すれば、最上部のウェットティッシュの一部が包装袋の開口部から引き出された状態でウェットティッシュ収納バッグに収納される。そして、ウェットティッシュの使用時には、ティッシュ取出部をその蓋部を開放させ、開口部から引き出された最上部のウェットティッシュを摘み、フレーム部を介して収納バッグ本体外方へ取り出すことが可能である。
【００１４】
よって、ウェットティッシュ包装袋からシール式の蓋部材を剥がすことなど、ウェットティッシュを使用する際の煩わしさを軽減し、ウェットティッシュの迅速な取り出しを可能として、使い勝手の向上を図ることが可能である。
【００１５】
さらに、ウェットティッシュをウェットティッシュ収納バッグに収められた状態で携行可能であるため、外出先で手指の洗浄およびテーブルの払拭等に使用することが可能である。
【００１６】
請求項２に記載の考案によれば、ウェットティッシュ収納バッグに対し、その一方の側面部に設けられたスリット状の収納孔を介してウェットティッシュ包装袋を収納し、その後、収納孔をスライドファスナにより閉止することにより、ウェットティッシュ収納バッグが封止される。よって、ウェットティッシュ収納バッグの気密性を保持し、収納されたウェットティッシュの乾燥を抑制するとともに、収納孔を迅速に開閉することを可能として、ウェットティッシュの収納および交換における煩わしさを軽減し、使い勝手の更なる向上を図ることができる。
【００１７】
請求項３に記載の考案によれば、ティッシュ取出部を、平面方形状の枠体（フレーム部）と、枠体とヒンジ結合され、閉じた状態で枠体に係合する蓋体（蓋部）とにより形成したことで、使い勝手がよく、開口部を容易に開閉可能なティッシュ取出部を容易に作製することが可能となる。
【００１８】
請求項４に記載の考案によれば、先端にフック部材を有する吊下係止部を設けたことで、ウェットティッシュ収納バッグを使用者の鞄の開口縁部から吊り下げるなどして、容易に携行可能とし、さらに、外出先での使用に際して鞄の中でウェットティッシュを探す手間をなくすことができる。
【００１９】
請求項５に記載の考案によれば、収納バッグ本体をビニル製としたことで、ウェットティッシュ収納バッグの気密性を高めることが可能となるとともに、ウェットティッシュ収納バッグを廉価に作製することが可能となる。
【００２０】
請求項６に記載の考案によれば、収納バッグ本体が透明であることで、内部に収納されているウェットティッシュおよびその包装袋の状態を目視により確認することができ、交換時期を的確に把握することが可能となる。
【図面の簡単な説明】
【００２１】
【図１】図１は、本考案の一実施形態に係るウェットティッシュ収納バッグの正面図である。
【図２】図２は、同上実施形態に係るウェットティッシュ収納バッグの底面図である。
【図３】図３は、同上実施形態に係るウェットティッシュ収納バッグの背面図である。
【図４】図４は、同上実施形態に係るウェットティッシュ収納バッグにウェットティッシュ包装袋を収納した状態を模式的に示す説明図である。
【図５】図５は、同上実施形態に係るウェットティッシュ収納バッグにウェットティッシュ包装袋を収納する際の手順を模式的に示す説明図である。
【図６】図６は、同上実施形態に係るウェットティッシュ収納バッグを持ち運ぶ際の使用方法の一例を示す説明図である。
【考案を実施するための形態】
【００２２】
以下に図面を参照して、本考案の実施の形態について説明する。
【００２３】
図１は、本考案の一実施形態に係るウェットティッシュ収納バッグ１の正面図であり、図２および図３は夫々、本実施形態に係るウェットティッシュ収納バッグ１の底面図および背面図である。
【００２４】
図４は、本実施形態に係るウェットティッシュ収納バッグ１にウェットティッシュ包装袋Ｐを収納した状態を模式的に示す説明図である。同図は、ウェットティッシュ包装袋Ｐの上面部に設けられた開口部Ｈから最上部で折り畳まれているウェットティッシュＴを引き出した状態を示し、説明の便宜のため、この最上部のウェットティッシュＴの外形を二点鎖線により示す。
【００２５】
図２〜４を適宜に参照しながら、主に図１を参照して、本実施形態に係るウェットティッシュ収納バッグ１の構成について説明する。
【００２６】
ウェットティッシュ収納バッグ１は、ウェットティッシュＴ（図４）を携行可能に収納する。ウェットティッシュＴは、所定の枚数（例えば、１００枚）のウェットティッシュＴが互いに折り重ねられた状態でウェットティッシュ包装袋Ｐに収められ、ウェットティッシュ包装袋Ｐには、その上面部に、収納されたウェットティッシュＴを取り出す際の取出窓となる開口部Ｈ（図４）が形成されている。ウェットティッシュ包装袋Ｐの開口部Ｈには通常、埃等の異物の混入を防止するとともに、ウェットティッシュＴの乾燥を抑制するため、シール式の蓋部材（図示せず）が貼り付けられ、蓋部材により密封された状態にある。ウェットティッシュＴの使用時には、蓋部材を開口部Ｈから剥すことが可能であり、蓋部材が剥された状態では、開口部Ｈが露出し、ウェットティッシュ包装袋Ｐの内部で互いに折り重ねられているウェットティッシュＴのうち、最上部のものを摘んで取り出すことが可能である。
【００２７】
ウェットティッシュ収納バッグ１は、収納バッグ本体１１と、ティッシュ取出部１２とを備える。
【００２８】
収納バッグ本体１１は、ウェットティッシュＴが収められたウェットティッシュ包装袋Ｐを、蓋部材が剥されて開口部Ｈが露出し、開口部Ｈを介して内部のウェットティッシュＴを摘むことが可能な状態で収納する（図４）。
【００２９】
収納バッグ本体１１は、方形状の前側面部１１ａと後側面部１１ｂとを含む一対の側面部を有し、前側面部１１ａと後側面部１１ｂとが互いに全周に亘って気密に接合されることで、全体として平面正方形の袋状をなす。前側面部１１ａと後側面部１１ｂとは、互いに合致した形状および大きさを有し、これらの接合には、例えば、熱溶着接合を採用することが可能である。収納バッグ本体１１は、ウェットティッシュＴをその包装袋（ウェットティッシュ包装袋Ｐ）に収めたままの状態で収納可能な形状および大きさを有する。
【００３０】
収納バッグ本体１１は、さらに、一対の側面部１１ａ、１１ｂのうちの一方、具体的には、前側面部１１ａの上端部に、ウェットティッシュＴを収納バッグ本体１１に収納する際にウェットティッシュ包装袋ＰがウェットティッシュＴを収めた状態で通過可能な広さを有する収納孔１１１と、ウェットティッシュ包装袋Ｐの収納後にこの収納孔１１１を密封可能に封止する封止具１１２とを有する。
【００３１】
本実施形態において、収納孔１１１は、スリット状をなし、前側面部１１ａをその幅方向の全体に亘って横断して設けられている。
【００３２】
収納孔１１１は、本実施形態に係る封止具１１２の一例であるスライドファスナにより開閉可能であり、スライドファスナ１１２により閉止される。具体的には、収納孔１１１を挟む前側面部１１ａの一方の縁部に雄型の線状部材１１１ａが配設される一方、他方の縁部に雌型の線状部材１１１ｂが配設され、これら一対の線状部材１１１ａ、１１１ｂは、スライドファスナ１１２が所定の方向（例えば、前側面部１１ａに向かって左方向）にスライドすることにより互いに係合させられ、収納孔１１１を気密に閉止する。
本実施形態において、一対の線状部材１１１ａ、１１１ｂおよびスライドファスナ１１２は、ＰＶＣ（塩化ビニル）ジッパを構成し、収納バッグ本体１１への線状部材１１１ａ、１１１ｂの取り付けは、熱シールによる。本実施形態では、収納バッグ本体１１に対し、前側面部１１ａを幅方向に横断する第１熱シール部ＨＳ１により雄型の線状部材１１１ａが接合され、第２熱シール部ＨＳ２により雌型の線状部材１１１ｂが接合される。
【００３３】
収納バッグ本体１１は、例えば、ビニル製であり、本実施形態では、透明な塩化ビニル製である。
【００３４】
ティッシュ取出部１２は、一対の側面部１１ａ、１１ｂのうちの一方、本実施形態では、収納孔１１１が設けられるのと同じ前側面部１１ａに設けられ、収納バッグ本体１１に収められたウェットティッシュ包装袋Ｐの開口部Ｈに対向して配置される。ウェットティッシュＴの使用時には、ウェットティッシュＴを、ウェットティッシュ包装袋Ｐからティッシュ取出部１２を介して収納バッグ本体１１外方へ取り出すことが可能である。
【００３５】
本実施形態において、ティッシュ取出部１２は、収納バッグ本体１１の一方の側面部、つまり、前側面部１１ａに固定されたフレーム部１２１と、フレーム部１２１に対して回動可能に固定された蓋部１２２とを有する。
蓋部１２２は、フレーム部１２１に対して回動可能であり、フレーム部１２１に対して相対的に近付く第１位置と、フレーム部１２１から離れる第２位置との間を移動する。蓋部１２２は、第１位置では閉じた状態にあり、ウェットティッシュ包装袋Ｐの開口部Ｈを気密に封止する。他方で、第２位置では開いた状態にあり、ティッシュ取出部１２を開放して、使用者によるウェットティッシュＴへの接触を可能とする。蓋部１２２が開いた状態にある場合に、ウェットティッシュＴをその包装袋Ｐから取り出すことが可能である。
【００３６】
さらに、ティッシュ取出部１２のフレーム部１２１および蓋部１２２は、具体的には、枠体１２１および蓋体１２２により形成され、枠体１２１および蓋体１２２は、例えば、収納バッグ本体１１よりも硬質なプラスチック製である。
枠体１２１は、平面方形状をなし、収納バッグ本体１１の一方の側面部、本実施形態では、前側面部１１ａ上で、ウェットティッシュ包装袋Ｐの開口部Ｈを囲うように設けられる。蓋体１２２は、枠体１２１に対してその一辺１２１ａにおいてヒンジ結合され、閉じた状態で枠体１２１と係合して、開口部Ｈを封止する。
【００３７】
以上に加え、本実施形態では、収納バッグ本体１１に吊下係止部２１が取り付けられる。吊下係止部２１は、前側面部１１ａに向かって左右夫々に１つずつ、合計一対設けられ、先端にフック部材２１１を有し、このフック部材２１１により、肩掛けかばん、トートバッグ等の袋状体ないし装身具の外側または内側に係止し、ウェットティッシュＴおよびウェットティッシュ収納バッグ１をかばんまたはバッグ等に携行して持ち運ぶことが可能である。本実施形態では、フック部材２１１としてクリップを採用し、このクリップにより、かばんまたはバッグ等の生地を弾性的に挟持する。
【００３８】
図６は、本実施形態に係るウェットティッシュ収納バッグ１を持ち運ぶ際の使用方法の一例として、ウェットティッシュ収納バッグ１を肩掛けかばん５０１の内側において、側片部５０４の上端部に係止させて携行する場合の例を示す。
このように、ウェットティッシュ収納バッグ１は、例えば、肩掛けかばん５０１の持ち手５０２の間で、かばん本体５０３の収納部内方において側片部５０４の上端部に吊下係止部２１を係止させることにより収納した状態で搬送することが可能である。
【００３９】
ここで、本実施形態では、収納バッグ本体１１の上方部に、吊下係止部２１の通し穴を設けていることに関連して、収納バッグ本体１１の気密性を確保するため、収納バッグ本体１１の上方部と主要部との間に第３熱シール部ＨＳ３を形成し、主要部に対する空気の流入を抑制する。
【００４０】
図５は、本実施形態に係るウェットティッシュ収納バッグ１にウェットティッシュ包装袋Ｐを収納する際の手順を模式的に示す説明図である。同図を参照して、ウェットティッシュ包装袋Ｐのバッグ１への収納方法について、簡単に説明する。
【００４１】
初めに、ウェットティッシュ収納バッグ１のスライドファスナ１１２を所定の方向（例えば、前側面部１１ａに向かって右方向）にスライドすることにより収納孔１１１を開放させ、これに併せ、ウェットティッシュ包装袋Ｐから蓋部材を剥し、開口部を露出させる。次いで、開放された収納孔１１１を介してウェットティッシュ包装袋Ｐをウェットティッシュ収納バッグ１に収納し、ウェットティッシュ包装袋Ｐの開口部Ｈとウェットティッシュ収納バッグ１のティッシュ取出部１２との位置を調整する。
その後、ティッシュ取出部１２の蓋体１２２を開くことで、ウェットティッシュ包装袋Ｐに収められているウェットティッシュＴへの接触を可能とし、包装袋Ｐの内部でその最上部に折り畳まれているウェットティッシュＴを摘み、開口部Ｈを介して引き出すことで、使用に向けた準備が完了する。実際の使用時には、ティッシュ取出部１２の蓋体１２２を開き、ティッシュ取出部１２の内部で包装袋Ｐから既に引き出された状態にある最上部のウェットティッシュＴを抜き取り、手指の清浄に使用したり、テーブルの払拭に使用したりする。
【００４２】
本実施形態に係るウェットティッシュ収納バッグ１は、以上の構成を有し、以下に、本実施形態により得られる効果について説明する。
【００４３】
ウェットティッシュＴは、ウェットティッシュ包装袋Ｐからその開口部Ｈを塞ぐ蓋部材を取り外し、ウェットティッシュ包装袋Ｐに収められたままの状態で、換言すれば、最上部のウェットティッシュＴの一部が包装袋Ｐから開口部Ｈを介して引き出された状態でウェットティッシュ収納バッグ１に収納される。そして、ウェットティッシュＴの使用時には、ティッシュ取出部１２をその蓋部１２２を動かすことにより開放させ、ウェットティッシュ包装袋Ｐから既に引き出された状態にあるウェットティッシュＴを摘み、フレーム部１２１を介して収納バッグ本体１１外方へ取り出すことが可能である。
【００４４】
よって、ウェットティッシュ包装袋Ｐからシール式の蓋部材を使用の都度剥がすことなど、ウェットティッシュＴを使用する際の煩わしさを軽減し、ウェットティッシュＴの迅速な取り出しを可能として、使い勝手の向上を図ることが可能である。
【００４５】
さらに、ウェットティッシュＴをウェットティッシュ収納バッグ１に収められた状態で携行可能であるため、外出先で手指の洗浄およびテーブルの払拭等に使用することが可能である。
【００４６】
ウェットティッシュ収納バッグ１に対し、その一方の側面部（本実施形態では、前側面部１１ａ）に設けられたスリット状の収納孔１１１を介してウェットティッシュ包装袋Ｐを収納し、その後、収納孔１１１をスライドファスナ１１２により閉止することにより、ウェットティッシュ収納バッグ１が封止される。よって、携行時にウェットティッシュ収納バッグ１の気密性を保持し、収納されたウェットティッシュＴの乾燥を抑制するとともに、収納孔１１１を迅速に開閉することを可能として、ウェットティッシュＴの収納および交換における煩わしさを軽減し、使い勝手の更なる向上を図ることができる。
【００４７】
ティッシュ取出部１２を、平面方形状の枠体（フレーム部）１２１と、枠体１２１とヒンジ結合され、閉じた状態で枠体１２１に係合する蓋体（蓋部）１２２とにより形成したことで、使い勝手がよく、開口部Ｈを容易に開閉可能なティッシュ取出部１２を容易に作製することが可能となる。
【００４８】
先端にフック部材２１１を有する吊下係止部２１を設けたことで、ウェットティッシュ収納バッグ１を使用者の鞄の内方において側片部５０４の上端部に係止させて収納することにより、外部からは見えにくい状態で携行が可能であり、さらに、外出先での使用に際して鞄の中でウェットティッシュＴを探す手間をなくすことができる。
【００４９】
収納バッグ本体１１をビニル製としたことで、ウェットティッシュ収納バッグ１の気密性を高めることが可能となるとともに、ウェットティッシュ収納バッグ１を廉価に作製することが可能となる。
【００５０】
収納バッグ本体が透明であることで、内部に収納されているウェットティッシュＴおよびその包装袋Ｐの状態を目視により迅速に確認することができ、交換時期を的確に把握することが可能となる。
【００５１】
以上の説明では、収納バッグ本体１１の形状を平面方形としたが、これに限定されるものではなく、これとは異なる他の形状を採用することも可能である。収納バッグ本体１１に採用可能な他の形状として、平面視で円形状、四角以外の多角形状等を例示することが可能である。
【００５２】
以上の説明では、収納バッグ本体１１にフックまたはクリップ式の吊下係止部２１を取り付けたが、吊下係止部２１の形態は、これに限定されるものではなく、各種形態の吊下係止部を採用することが可能である。さらに、吊下係止部は、必ずしもなくてはならないものではなく、これを省略することも可能であり、吊下係止部は、着脱可能なものであってもよい。
【符号の説明】
【００５３】
１…ウェットティッシュ収納バッグ
１１…収納バッグ本体
１１ａ、１１ｂ…側面部
１１１…収納孔
１１１ａ、１１１ｂ…線状部材
１１２…封止具（スライドファスナ）
１２…ティッシュ取出部
１２１…フレーム部（枠体）
１２２…蓋部（蓋体）
２１…吊下係止部
５０１…肩掛けかばん
５０２…持ち手
５０３…かばん本体
Ｐ…ウェットティッシュ包装袋
Ｔ…ウェットティッシュ
Ｈ…開口部
【図１】
0003231519.tif 000003
【図２】
0003231519.tif 000004
【図３】
0003231519.tif 000005
【図４】
0003231519.tif 000006
【図５】
0003231519.tif 000007
【図６】
0003231519.tif 000008